(57)【特許請求の範囲】
【請求項１】
鉄骨造の建築構造であって、
建物外周側に耐震要素を配置し、建物外周側の大梁よりも建物中央側を通る大梁の梁成を小さくし、
上階スラブの裏面に接して天井材を配置することによって天井高さが確保されており、
前記上階スラブの裏面に接して前記天井材を配置することによって天井高さを確保した室の空調を行うための空調設備が、他の室の天井空間の内部、及び／又は壁の内部に集約配置されていることを特徴とする建築構造。
【請求項２】
請求項１に記載の建築構造において、
建物のファサードには耐震要素としてブレース又は斜柱が用いられていることを特徴とする建築構造。
【発明の詳細な説明】
【技術分野】
【０００１】
本発明は、学校の校舎などに用いて好適な建築構造に関する。
【背景技術】
【０００２】
従来、学校の校舎などの施設においては、天井高さを３．０ｍ（あるいはそれ以上）にし、建物の内部に極力広い空間を確保することが求められる（例えば、特許文献１、特許文献２、特許文献３、特許文献４参照）。
【０００３】
そして、これを実現するために、大スパン、大階高、例えば、７ｍ×７ｍ×９ｍ程度の標準柱スパン、４ｍ程度の階高にして架構構造（建築構造）を設計・構築するようにしている。
【先行技術文献】
【特許文献】
【０００４】
【特許文献１】特開２００１−１４６７９０号公報
【特許文献２】特開平０１−１２５４３８号公報
【特許文献３】特開２００９−１３６１６号公報
【特許文献４】特開２００２−９７７１５号公報
【発明の概要】
【発明が解決しようとする課題】
【０００５】
一方、市街地の狭小敷地において、３階建校舎を建築する場合には、階高が４ｍ程度であると建物高さが１０ｍを超えることから、日影規制の適用を受ける。これにより、建築構造が複雑なセットバックを伴う形態の構造になり、さらにこのセットバックを伴う建物形態になることに起因して、学校施設としてのフレキシビリティの確保が困難になってしまうケースが多々ある。
【０００６】
上記事情に鑑み、本発明は、所望の天井高さを確保しつつ極力低階高にし、低階高でありながら大スパンを実現して広い無柱空間を確保することを可能にする建築構造を提供することを目的とする。
【課題を解決するための手段】
【０００７】
上記の目的を達するために、この発明は以下の手段を提供している。
【０００８】
本発明の建築構造は、鉄骨造の建築構造であって、建物外周側に耐震要素を配置し、建物外周側の大梁よりも建物中央側を通る大梁の梁成を小さくし、上階スラブの裏面に接して天井材を配置することによって天井高さが確保されており、前記上階スラブの裏面に接して前記天井材を配置することによって天井高さを確保した室の空調を行うための空調設備が、他の室の天井空間の内部、及び／又は壁の内部に集約配置されていることを特徴とする。
【０００９】
この発明においては、建物外周側にブレースなどの耐震要素を配置することによって、建物中央側を通る大梁の梁成を小さくすることができ、且つ小さな梁成の大梁で大スパンを実現することができる。これにより、建物中央側に低階高でありながら所望の天井高さを確保することが可能になるとともに、広い無柱空間を形成することが可能になる。
【００１１】
また、二重天井を適用せず、上階スラブの裏面に吸音材などの天井材を取り付けることによって、例えば、３．２ｍ程度の低階高でありながら３．０ｍ程度の天井高さを実現することが可能になる。
【００１３】
さらに、二重天井を適用せず、上階スラブの裏面に吸音材などの天井材を取り付けて低階高で所望の天井高さを確保するようにした場合であっても、この部屋の空調を、他の室の天井空間の内部、及び／又は壁の内部に集約配置した空調設備で行うことが可能になる。
【００１４】
また、本発明の建築構造においては、建物のファサードには耐震要素としてブレース又は斜柱が用いられていることがさらに望ましい。
【００１５】
この発明においては、建物外周に耐震要素を配置するようにした場合に、建物のファサードの耐震要素としてブレース又は斜柱を用いることで、見栄えをよくすることができる。
【発明の効果】
【００１６】
本発明の建築構造によれば、建物外周に耐震要素を配置することによって、大梁の梁成を６００ｍｍ程度にすることができ、３階建てで１０ｍ未満にした建物、すなわち、階高を３．２ｍ程度の低階高にして日影制限を受けない建物を実現することができる。
【００１７】
これにより、建物高さが１０ｍを超えて日影制限を受けた場合のようにセットバックを伴う建物形態にする必要がなく、全ての階で、整形の使いやすい平面計画を実現することが可能になる。
【００１８】
また、建物中央側を通る大梁の梁成を小さくしたり、従来の二重天井を採用せず、上階スラブ裏面に天井材を取り付けて天井面を形成するなどすることによって、天井高さ３．０ｍを確保することができる。
【００１９】
これにより、このように低階高でありながら十分な天井高さを確保するとともに、梁成の小さな大梁を用いて大スパン、ひいては例えば３００ｍ２を超える無柱空間を実現できる。よって、建物内スペースの利用の自由度を大幅に高めることができ、例えば将来の間仕切り改修などに対応しやすい建物にすることができる。
【図面の簡単な説明】
【００２０】
【図１】本発明の一実施形態に係る建築構造の一例を示す平面図である。
【図２】本発明の一実施形態に係る建築構造の一例を示す側断面図である。
【図３】本発明の一実施形態に係る建築構造を備えた建物のファサードの一例を示す図である。
【図４】本発明の一実施形態に係る建築構造を備えた建物のファサードの一例を示す図である。
【発明を実施するための形態】
【００２１】
以下、図１から図４を参照し、本発明の一実施形態に係る建築構造について説明する。
【００２２】
ここで、本実施形態は、低階高でありながらロングスパンを小さい梁成で実現し、建築・構造・設備を一体にして広い無柱空間の確保を実現した建築構造に関するものである。そして、ここでは、建築構造が天井高さを３．０ｍにし、建物の内部に極力広い空間を確保することが求められる学校の校舎（施設）であるものとして説明を行う。
【００２３】
具体的に、本実施形態の建築構造Ａは、図１及び図２に示すように、例えば鉄骨造建物であり、建物外周に耐震要素１を配置することによって、梁スパン１３．４ｍに対し、梁成６００ｍｍの小さな梁成の大梁４を採用するようにしている。すなわち、本実施形態では、建物外周に耐震要素１を配置することによって、建物中央の大梁成を最小化できるようにしている。
【００２４】
これにより、３階建ての建物構造（校舎）Ａにおいて、階高が３．２ｍ程度となり、建物の高さが１０ｍ未満となっている。
【００２５】
また、建物外周の耐震要素は特に限定を必要としないが、ブレースを採用することが好ましい。さらに、図３、図４に示すように、前面道路に面するファサードの耐震要素１としては、ブレース１ａ、あるいはブレース効果で耐震性を確保する斜柱１ｂを採用することによって、見栄えをよくすることが好ましい。
【００２６】
また、教室は、従来の二重天井を採用せず、上階スラブ裏面に吸音材（天井材）２を貼り付けるなどして取り付けて天井面を形成する。これにより、天井高さ３．０ｍが確保されている。
【００２７】
さらに、廊下、準備室等の天井（天井高さ２．４ｍ）の内部や壁の内部に空調設備３を集約し、天井高さ３．０ｍの教室に教室の壁面から空調空気（給気ＯＡ）を供給する。
【００２８】
また、内部の教育活動をより地域にアピールできるため、全面ガラス張りの施設にしてもよい。
【００２９】
そして、上記のように構成した本実施形態の建築構造Ａにおいては、建物外周側にブレースなどの耐震要素１を配置することによって、建物中央側を通る大梁４の梁成を小さくすることができ、且つ小さな梁成の大梁４で大スパンを実現することができる。これにより、建物中央側に低階高でありながら所望の天井高さを確保することが可能になるとともに、広い無柱空間を形成することが可能になる。
【００３０】
また、二重天井を適用せず、上階スラブの裏面に吸音材などの天井材２を取り付けることによって、例えば、３．２ｍ程度の低階高でありながら３．０ｍ程度の天井高さを実現することが可能になる。
【００３１】
さらに、二重天井を適用せず、上階スラブの裏面に吸音材などの天井材２を取り付けて低階高で所望の天井高さを確保するようにした場合であっても、この室の空調を、他の室の天井空間の内部、及び／又は壁の内部に集約配置した空調設備３で行うことが可能になる。
【００３２】
また、建物外周に耐震要素１を配置するようにした場合に、建物のファサードの耐震要素１としてブレース又は斜柱を用いることで、見栄えをよくすることができる。
【００３３】
したがって、本実施形態の建築構造Ａによれば、建物外周に耐震要素１を配置することによって、大梁４の梁成を６００ｍｍ程度にすることができ、３階建てで１０ｍ未満にした建物、すなわち、階高を３．２ｍ程度の低階高にして日影制限を受けない建物を実現することができる。
【００３４】
これにより、建物高さが１０ｍを超えて日影制限を受けた場合のようにセットバックを伴う建物形態にする必要がなく、全ての階で、整形の使いやすい平面計画を実現することが可能になる。
【００３５】
また、建物中央側を通る大梁４の梁成を小さくしたり、従来の二重天井を採用せず、上階スラブ裏面に天井材２を取り付けて天井面を形成するなどすることによって、天井高さ３．０ｍを確保することができる。
【００３６】
これにより、このように低階高でありながら十分な天井高さを確保するとともに、梁成の小さな大梁４を用いて大スパン、ひいては例えば３００ｍ２を超える無柱空間を実現できる。よって、建物内スペースの利用の自由度を大幅に高めることができ、例えば将来の間仕切り改修などに対応しやすい建物にすることができる。
【００３７】
以上、本発明に係る建築構造の一実施形態について説明したが、本発明は上記の一実施形態に限定されるものではなく、その趣旨を逸脱しない範囲で適宜変更可能である。
【符号の説明】
【００３８】
１    耐震要素
２    天井材
３    空調設備
４    大梁
Ａ    建築構造
【図１】
0006512442.tif 000002
【図２】
0006512442.tif 000003
【図３】
0006512442.tif 000004
【図４】
0006512442.tif 000005